(57)【要約】【課題】  外部端末において視認性の高い画像を提供する。【解決手段】  被検眼を撮影するための撮影光学系と、撮影光学系の操作画面、及び撮影光学系によって取得された被検眼の画像を表示する第１表示手段と、を備える眼科撮影装置において、第１表示手段とは異なる第２表示手段を有する外部端末に向けて、眼科撮影装置によって得られた画像データをネットワークを介して出力する画像出力手段と、第２表示手段の解像度に適応した解像度からなる画像データを画像出力手段により出力するため、画像データの解像度を変更する画像変更手段と、を備える【選択図】      図１
2014018251.tif 000002
【特許請求の範囲】
【請求項１】
被検眼を撮影するための撮影光学系と、
前記撮影光学系の操作画面、及び前記撮影光学系によって取得された被検眼の画像を表示する第１表示手段と、を備える眼科撮影装置において、
前記第１表示手段とは異なる前記第２表示手段を有する外部端末に向けて、前記眼科撮影装置によって得られた画像データをネットワークを介して出力する画像出力手段と、
前記第２表示手段の解像度に適応した解像度からなる前記画像データを前記画像出力手段により出力するため、前記画像データの解像度を変更する画像変更手段と、
を備えることを特徴とする眼科撮影装置。
【請求項２】
請求項１の眼科撮影装置において、
前記第２表示手段の解像度情報を設定するための設定手段を備え、
前記画像変更手段は、前記設定手段によって設定された前記解像度情報に基づいて、前記画像データの解像度を変更することを特徴とする眼科撮影装置。
【請求項３】
請求項１又は２の眼科撮影装置において、
前記被検眼の画像を処理して、被検眼の解析結果を示す解析マップを含む画像データを形成する画像形成手段を備え、
前記画像変更手段は、前記画像形成手段によって形成された前記解析マップを含む画像データの解像度を変更することを特徴とする眼科撮影装置。
【請求項４】
請求項１又は２の眼科撮影装置において、
複数の前記被検眼の画像を処理して、前記被検眼の画像を複数含む画像データを形成する画像形成手段と、
前記画像変更手段は、前記画像形成手段によって形成された前記画像データの解像度を変更することを特徴とする眼科撮影装置。
【請求項５】
請求項１〜４のいずれかの眼科撮影装置において、
前記画像変更手段は、さらに、前記第２表示手段のカラープロファイルに対応した色調からなる前記画像データを前記出力手段により出力するため、前記画像データの色調を調整することを特徴とする眼科撮影装置。
【請求項６】
請求項１〜５のいずれかの眼科撮影装置において、
前記撮影光学系は、被検眼からの測定光と参照光との干渉状態の検出により被検眼の断層画像を取得するための干渉光学系であることを特徴とする眼科撮影装置。
【請求項７】
請求項６の眼科撮影装置において、
前記画像形成手段は、前記干渉光学系によって取得された前記被検眼の断層画像を処理して、被検眼の所定部位に関する厚み情報を取得し、
前記厚み情報に基づいて、被検眼の所定部位に関する各位置での厚み情報をカラーにて表現するカラーマップ、被検眼の所定部位に関する各位置での厚み情報を数値にて表現する数値マップ、の少なくともいずれかを有する解析マップを含む画像データを形成することを特徴とする眼科撮影装置。
【請求項８】
請求項１〜７のいずれかの眼科撮影装置において、
前記眼科撮影装置によって取得される前記画像データの解像度が、前記外部端末の前記第２表示手段の解像度よりも大きいことを特徴とする眼科撮影装置。
【請求項９】
請求項１〜８のいずれかの眼科撮影装置において、
前記画像データの外部端末への出力を開始させるためのトリガ信号を出力する出力手段と、を備え、
前記画像変更手段は、前記トリガ信号に基づいて前記画像データの解像度を変更し、
前記画像出力手段は、前記画像変更手段によって前記画像データの解像度が変更された後、前記画像データを外部端末へ出力することを特徴とする眼科撮影装置。
【請求項１０】
被検眼を撮影するための撮影光学系と、
前記撮影光学系の操作画面、及び前記撮影光学系によって取得された被検眼の画像を表示する第１表示手段と、を備える眼科撮影装置のコンピュータに実行させる眼科撮影プログラムにおいて、
前記第１表示手段とは異なる第２表示手段を有する外部端末に向けて、前記眼科撮影装置によって得られた画像データをネットワークを介して出力する画像出力工程と、
前記第２表示手段の解像度に適応した解像度からなる前記画像データを前記画像出力工程により出力するため、前記画像データの解像度を変更する画像変更工程と、
を前記眼科撮影装置の前記コンピュータに実行させることを特徴とする眼科撮影プログラム。
【発明の詳細な説明】
【技術分野】
【０００１】
本発明は、撮影光学系によって取得された撮影画像を用いて被検眼を観察する眼科撮影装置及び眼科撮影プログラムに関する。
【背景技術】
【０００２】
従来、光干渉技術を用いて被検眼の断層画像を取得し、得られた断層画像から被検眼の状態を評価するための眼科撮影装置が知られている（特許文献１参照）。
【０００３】
このような眼科撮影装置では、赤外光により得られる正面画像がモニタに表示され、正面画像のある領域（部位）が選択される。そして、選択した領域の断層画像が光干渉技術を用いて取得され、その画像データがパーソナル・コンピュータの記憶部（例えば、ハードディスク）などに一旦保存される。記憶された画像データは、ＰＣのモニタ上に表示され、検者はこのようにして得られた断層画像を見て被検眼の異常の有無等を判断している。
【０００４】
また、取得された画像データを、別途、設けられた外部の端末に転送して、撮影場所とは異なる場所等で観察を行う場合がある。
【先行技術文献】
【特許文献】
【０００５】
【特許文献１】特開２００８−２９４６７号公報
【発明の概要】
【発明が解決しようとする課題】
【０００６】
通常、眼科撮影装置によって取得された画像は、高解像度の画像となっており、眼科撮影装置によって取得された画像の解像度に対して、低い解像度のモニタを持つ外部端末に高解像度の画像データが転送される場合がありうる。この場合、画像の縮小処理及び解像度の調整が外部端末において行われ、外部端末のモニタ上に撮影画像が表示される。そして、特別な画像処理（バイリニア法、二アレストネイバ法、バイキュービック法等の補間処理）機能を有していない外部端末では、外部端末のモニタで画像を観察した場合、被検眼の画像や文字等が潰れてしまったような劣化した画像が表示される（図６（ａ）参照）。このため、視認性が低くなり、観察がしづらくなっている。
【０００７】
本発明は、上記問題点を鑑み、外部端末において視認性の高い画像を提供できる眼科撮影装置に関する。
【課題を解決するための手段】
【０００８】
上記課題を解決するために、本発明は以下のような構成を備えることを特徴とする。
【０００９】
（１）  被検眼を撮影するための撮影光学系と、前記撮影光学系の操作画面、及び前記撮影光学系によって取得された被検眼の画像を表示する第１表示手段と、を備える眼科撮影装置において、前記第１表示手段とは異なる前記第２表示手段を有する外部端末に向けて、前記眼科撮影装置によって得られた画像データをネットワークを介して出力する画像出力手段と、前記第２表示手段の解像度に適応した解像度からなる前記画像データを前記画像出力手段により出力するため、前記画像データの解像度を変更する画像変更手段と、
を備えることを特徴とする。
（２）  （１）の眼科撮影装置において、前記第２表示手段の解像度情報を設定するための設定手段を備え、前記画像変更手段は、前記設定手段によって設定された前記解像度情報に基づいて、前記画像データの解像度を変更することを特徴とする。
（３）  （１）又は（２）の眼科撮影装置において、前記被検眼の画像を処理して、被検眼の解析結果を示す解析マップを含む画像データを形成する画像形成手段を備え、前記画像変更手段は、前記画像形成手段によって形成された前記解析マップを含む画像データの解像度を変更することを特徴とする。
（４）  （１）又は（２）の眼科撮影装置において、複数の前記被検眼の画像を処理して、前記被検眼の画像を複数含む画像データを形成する画像形成手段と、前記画像変更手段は、前記画像形成手段によって形成された前記画像データの解像度を変更することを特徴とする。
（５）  （１）〜（４）のいずれかの眼科撮影装置において、前記画像変更手段は、さらに、前記第２表示手段のカラープロファイルに対応した色調からなる前記画像データを前記出力手段により出力するため、前記画像データの色調を調整することを特徴とする。
（６）  （１）〜（５）のいずれかの眼科撮影装置において、前記撮影光学系は、被検眼からの測定光と参照光との干渉状態の検出により被検眼の断層画像を取得するための干渉光学系であることを特徴とする。
（７）  （６）の眼科撮影装置において、前記画像形成手段は、前記干渉光学系によって取得された前記被検眼の断層画像を処理して、被検眼の所定部位に関する厚み情報を取得し、前記厚み情報に基づいて、被検眼の所定部位に関する各位置での厚み情報をカラーにて表現するカラーマップ、被検眼の所定部位に関する各位置での厚み情報を数値にて表現する数値マップ、の少なくともいずれかを有する解析マップを含む画像データを形成することを特徴とする。
（８）  （１）〜（７）のいずれかの眼科撮影装置において、前記眼科撮影装置によって取得される前記画像データの解像度が、前記外部端末の前記第２表示手段の解像度よりも大きいことを特徴とする。
（９）  （１）〜（８）のいずれかの眼科撮影装置において、前記画像データの外部端末への出力を開始させるためのトリガ信号を出力する出力手段と、を備え、前記画像変更手段は、前記トリガ信号に基づいて前記画像データの解像度を変更し、前記画像出力手段は、前記画像変更手段によって前記画像データの解像度が変更された後、前記画像データを外部端末へ出力することを特徴とする。
（１０）  被検眼を撮影するための撮影光学系と、前記撮影光学系の操作画面、及び前記撮影光学系によって取得された被検眼の画像を表示する第１表示手段と、を備える眼科撮影装置のコンピュータに実行させる眼科撮影プログラムにおいて、前記第１表示手段とは異なる第２表示手段を有する外部端末に向けて、前記眼科撮影装置によって得られた画像データをネットワークを介して出力する画像出力工程と、前記第２表示手段の解像度に適応した解像度からなる前記画像データを前記画像出力工程により出力するため、前記画像データの解像度を変更する画像変更工程と、を前記眼科撮影装置の前記コンピュータに実行させることを特徴とする。
【発明の効果】
【００１０】
本発明によれば、外部端末において視認性の高い画像を提供できる。
【発明を実施するための形態】
【００１１】
本発明に係る装置を実施するための形態を図面に基づいて説明する。図１〜図６は本実施形態に係る装置、プログラム、について説明するための図である。
【００１２】
＜概要＞
本発明の実施形態に係る眼科撮影装置及び眼科撮影プログラムの概要について説明する。なお、以下の説明においては、眼科撮影装置を例として挙げて、本発明の説明を行う。
【００１３】
本実施形態の眼科撮影装置は、外部端末のモニタの解像度に適応した解像度からなる画像データを出力するため、予め取得された画像データの解像度を変更する。外部端末のモニタの解像度に適応した解像度の程度としては、例えば、眼科撮影装置から出力された画像を外部端末のモニタによって観察する場合において、被検眼の画像や文字等の劣化を許容できる程度に予め調整された解像度であればよい。例えば、外部端末のモニタの解像度と略同一の解像度であることが好ましく、これにより、被検眼の画像や文字等の劣化が視認されず、検者は、良好な観察が可能となる。また、外部端末のモニタの解像度より低い又は大きく、被検眼の画像や文字等の劣化が生じる場合であっても、検者が許容できる程度であれば、一定の効果は得られる。
【００１４】
本実施形態において、眼科撮影装置１は、撮影光学系と、第１表示手段（例えば、モニタ７５）と、画像出力手段と、画像変更手段と、を備える。
【００１５】
撮影光学系は、被検眼を撮影するために用いられる。例えば、撮影光学系は、撮影光学系は、被検眼からの測定光と参照光との干渉状態の検出により被検眼の断層画像を取得するための干渉光学系（光コヒーレンストモグラフィーデバイス）が挙げられる。また、例えば、撮影光学系は、レーザ走査型検眼光学系（Scanning Laser Opthalmoscope:SLO）、眼底カメラ光学系が挙げられる。
【００１６】
第１表示手段は、撮影光学系の操作画面、及び撮影光学系によって取得された被検眼の画像を表示する。
【００１７】
例えば、本実施形態においては、ＣＰＵ（演算制御部）７０が画像出力手段と画像変更手段を兼ねる。
【００１８】
画像出力手段は、第１表示手段とは異なる第２表示手段（例えば、モニタ３１）を有する外部端末３０に向けて、眼科撮影装置１によって得られた画像データをネットワークを介して出力する。このとき、画像変更手段は、第２表示手段の解像度に適応した解像度からなる画像データを画像出力手段により出力するため、前記画像データの解像度を変更する。
【００１９】
なお、本実施形態において、眼科撮影装置によって取得される画像データの解像度は、外部端末３０の第２表示手段の解像度より大きい。
【００２０】
例えば、第２表示手段の解像度は、第２表示手段の解像度情報を設定するための設定手段（例えば、操作部７６及び演算制御部７０）によって設定される。画像変更手段は、設定手段によって設定された解像度情報に基づいて、画像データの解像度を変更する。また、例えば、演算制御部７０は、外部端末より端末情報を取得し、第２表示手段の解像度を読み取る構成としてもよい。
【００２１】
例えば、外部端末に出力される画像データとしては、眼科撮影装置１に備えられた画像形成手段によって形成される被検眼の解析結果を示す解析マップを含む画像データが挙げられる。
【００２２】
解析マップを含む画像データは、カラーマップ、数値マップの少なくともいずれかを有する。例えば、眼科撮影装置１の撮影光学系が、被検眼の断層画像を取得するための干渉光学系である場合、画像形成手段は、干渉光学系によって取得された被検眼の断層画像を処理して、被検眼の所定部位に関する厚み情報を取得し、厚み情報に基づいて、被検眼の所定部位に関する各位置での厚み情報をカラーにて表現するカラーマップ、被検眼の所定部位に関する各位置での厚み情報を数値にて表現する数値マップを形成する。
【００２３】
また、例えば、外部端末に出力される画像データとしては、眼科撮影装置１に備えられた画像形成手段によって形成された被検眼の画像を複数含む画像データであってもよい。被検眼の画像を複数含む画像データは、画像形成手段によって、複数の被検眼の画像が処理され、取得される。そして、画像変更手段は、画像形成手段によって形成された画像データの解像度を変更する。なお、本実施形態においては、ＣＰＵ（演算制御部）７０が画像形成手段を兼ねる。
【００２４】
なお、画像データの解像度変更として、解像度変更のタイミングは、外部端末３０へ画像データを出力する際に完了されていればよい。
【００２５】
例えば、解像度変更のタイミングは、画像データの外部端末への出力を開始させるためのトリガ信号に基づいて、解像度変更が行われる構成が挙げられる。この場合、眼科撮影装置１は、画像データの外部端末への出力を開始させるためのトリガ信号を出力する出力手段（例えば、操作部７６）を備える。そして、出力手段よりトリガ信号が出力されると、画像変更手段は、トリガ信号に基づいて画像データの解像度を変更し、画像出力手段は、画像変更手段によって画像データの解像度が変更された後、画像データを外部端末へ出力する。
【００２６】
また、例えば、解像度変更のタイミングは、眼科撮影装置１によって画像データが取得され、メモリ７２に記憶される前に、予め、解像度を変更する構成としてもよい。
【００２７】
なお、取得された画像データの解像度を変更する場合、予め取得された複数の画像データの解像度を一括して変更するようにしてもよい。複数の画像データとしては、例えば、ＣＰＵ７０は、眼科撮影装置１によって取得された画像データ（例えば、複数の被検眼の画像、複数の解析マップを含む画像）の解像度を被検者単位で一括して変更する。例えば、ＣＰＵ７０は、ある被検者に関して複数の画像データが取得された後、画像データの外部端末への出力を開始させるためのトリガ信号に基づいて、予め取得された複数の画像データの解像度を一括して変更する。
【００２８】
なお、本実施形態において、画像変更手段は、さらに、他のパラメータを転送先の外部端末の形式に変更するようにしてもよい。例えば、第２表示手段のカラープロファイルに対応した色調からなる画像データを画像出力手段により出力するため、画像データの色調を調整するようにしてもよい。
【００２９】
なお、本実施形態においては、眼科撮影装置を例として挙げて説明したが、これに限定されない。例えば、上記実施形態の機能を行う眼科撮影ソフトウェア（プログラム）をネットワークや各種記憶媒体を介して、システムあるいは装置に供給する。そして、システムあるいは装置のコンピュータ（例えば、ＣＰＵ等）がプログラムを読み出し、実行することも可能である。  この場合、本発明は、眼科撮影装置のコンピュータに実行させる眼科撮影プログラムである。なお、眼科撮影装置は、被検眼を撮影するための撮影光学系と、撮影光学系の操作画面、及び撮影光学系によって取得された被検眼の画像を表示する第１表示手段を備える。
【００３０】
眼科撮影プログラムは、第１表示手段とは異なる第２表示手段を有する外部端末に向けて、眼科撮影装置によって得られた画像データをネットワークを介して出力する画像出力工程と、第２表示手段の解像度に適応した解像度からなる画像データを画像出力工程により出力するため、画像データの解像度を変更する画像変更工程と、を眼科撮影装置のコンピュータに実行させる。
【００３１】
＜実施例＞
以下、本発明の実施例を図面に基づいて説明する。図１は、本実施例に係る眼科撮影装置１の一例について説明する図である。眼科撮影装置１は、例えば、被検眼の撮影を行い、撮影した画像を観察するために用いられる。なお、以下の説明においては、眼科撮影装置１として、被検眼の断層画像を取得する光コヒーレンストモグラフィーデバイス（ＯＣＴデバイス）を例に挙げて説明する。
【００３２】
例えば、眼科撮影装置１は、ネットワーク（バス、ＬＡＮ等）を介して、外部の端末３０に接続されており、相互に画像データ等を送受信することが可能である。例えば、外部端末３０としては、モニタ３１とＣＰＵ３２からなるＰＣ（パーソナルコンピュータ）が挙げられる（例えば、デスクトップ型コンピュータ）。もちろん、外部端末３０としては、モニタ３１とＣＰＵ３２とが一体となった構成のものであってもよい（例えば、ノート型パソコン、タブレット式コンピュータ、等）。
【００３３】
眼科撮影装置１は、取得した断層画像の画像データを外部端末３０に転送する。転送された画像データは、外部端末３０に設けられた記憶装置３３（例えば、ハードディスク、フラッシュメモリ）に格納される。外部端末３０は、記憶装置に格納された画像データを読出し、外部端末のモニタ３１に断層画像を表示する。このようにして、外部端末３０においても、眼科撮影装置１によって取得された断層画像の観察が行われる。
【００３４】
なお、外部端末３０としては、眼科撮影装置１に接続された外部端末（パーソナルコンピュータ）３０の記憶装置３３に撮影画像が格納され、記憶装置３３に格納された撮影画像が外部端末３０のモニタ３１に表示される形態に限定されない。外部端末３０としては、眼科撮影部１０とモニタ７５を有する眼科撮影装置１に、ネットワークを介して接続された外部端末であって、モニタ３１（モニタ７５とは異なる）を有する外部端末であればよく、外部端末が記憶装置を備える必要はない。例えば、眼科撮影装置１にネットワークを介して接続された画像サーバーに撮影画像が格納される構成であってもよい。この場合、外部端末３０が画像サーバーにアクセスすることによって、画像サーバーに格納された撮影画像がモニタ３１上に表示される。この場合、画像サーバーは、記憶装置（例えば、ハードディスク、フラッシュメモリ）として用いられる。
【００３５】
眼科撮影装置１は眼科撮影部１０と眼科解析部２０とで構成される。眼科撮影部１０は、例えば、干渉光学系を有し、断層像を取得するために用いられる。眼底解析部２０は、眼科撮影部１０によって撮影された眼底画像をモニタ上で観察するために用いられる。
【００３６】
図２は、眼科解析部２０の構成について説明するブロック図である。眼科解析部２０は、ＣＰＵ（演算制御部）７０と、操作部７６と、メモリ（記憶部）７２と、モニタ７５と、から構成され、各部はバス等を介し制御部７０と電気的に接続されている。
【００３７】
制御部７０は、メモリ７２に記憶されている眼科解析プログラム及び各種制御プログラムに基づいて各部の動作を制御する。この眼科解析プログラムをコンピュータ上で実行させることによって眼科解析部２０を使用することが可能となる。なお、制御部７０、操作部７６、メモリ７２、モニタ７５として、市販のＰＣ（パーソナルコンピュータ）が持つ演算処理部、入力部、記憶部、表示部を用い、市販のＰＣに眼科解析プログラムをインストールするようにしてもよい。
【００３８】
なお、本実施例においては、眼科撮影部１０と眼科解析部２０とが一体となった眼科撮影装置を例として挙げているが、これに限定されない。例えば、眼科撮影部１０と眼科解析部２０とがそれぞれ構成されており、眼科撮影部１０と眼科解析部２０とが接続されている構成を例としてもよい。
【００３９】
眼科撮影部１０は、例えば、光コヒーレンストモグラフィーデバイス（ＯＣＴデバイス）である。ＯＣＴデバイスは、光源から出射された光束を測定光と参照光に分割し、測定光束を被検眼眼底に導き、参照光を参照光学系に導いた後、前記眼底から反射された測定光と参照光との干渉状態を検出器により検出する。そして、検出器から出力される受光信号に基づいて画像処理により断層像を取得する。また、ＯＣＴデバイスに備えられた正面像撮像光学系によって、被検眼眼底の正面画像（正面像）を取得する。なお、正面像撮像光学系としては、レーザ走査型検眼光学系（Scanning Laser Opthalmoscope:SLO）、眼底カメラ光学系が挙げられる。また、測定光を二次元的に走査させ、ＸＹ各点について受光素子からの干渉信号のスペクトル強度を積算することによりＯＣＴ正面像を得るＯＣＴ正面像撮像光学系等も挙げられる。なお、断層像と眼底正面像は、マッチングされている。
【００４０】
眼科撮影部１０は、眼科解析部２０の制御部７０と接続されている。眼科解析部２０は、画像変更機能を備えている。例えば、眼科解析部２０の制御部７０は、メモリ７２に記憶された画像データの解像度を変更するための演算処理を行う（詳細については後述する）。
【００４１】
また、眼科解析部２０は、画像解析機能を備えている。例えば、制御部７０は、メモリ７２に記憶された画像データを演算処理し、解析を行う。制御部７０は、例えば、断層画像より層位置を検出し、所定の層間の厚み（層厚）のグラフ等を作成する。
【００４２】
操作部７６は、検者によって操作が行われた場合に、検者からの各種指示を取り込むための各種スイッチ、マウス等によって構成されている。操作部７６は、外部端末の画像サイズ（解像度）等を入力するために用いられる（詳細は後述する）。
【００４３】
制御部７０は、眼科撮影装置１のモニタ７５の表示を制御し、例えば、眼科撮影部１０を操作するための操作画面、眼科撮影部１０によって取得された画像データ、眼科解析部２０によって解析された解析結果、等をモニタ７５の画面上に表示する。これらのデータは、同一画面上に表示される必要は必ずしもなく、検者の操作に応じて、適宜表示されればよい。
【００４４】
メモリ７２には、眼科撮影装置１の各部の動作を制御するための各種制御プログラムが記憶されている。また、メモリ７２には、画像解析プログラムや画像変換プログラム等が記憶されている。メモリ７２には、眼科撮影装置の眼科撮影部１０によって、取得された正面画像（正面像）と関連付けられた断層画像（断層像）とを含む画像データが、記憶される。
【００４５】
ここで、眼科解析部２０の画像変更機能（解像度変更）について説明する。制御部７０は、眼科撮影装置１によって取得された画像の解像度と外部端末３０のモニタ３１の解像度とが異なる場合、眼科撮影部１０で取得された断層画像の解像度を外部端末３０のモニタ３１の解像度へと変更する。なお、本実施形態において、解像度とは、被検眼の撮影画像を構成する画素（ドット）の数を意味し、通常、縦横の積（例えば、１０２４×７６８等）にて表される。
【００４６】
例えば、解像度の変更処理としては、バイリニア補間法による画像処理を用いて行う。解像度を変更した場合、画像上の各位置における画素を変更する。バイリニア補間法は、解像度が変更された場合、解像度変更後の画像の画素を決定するために用いられる。
【００４７】
図３は、バイリニア補間法について説明する図である。バイリニア補間法は、画素値を求める位置（Ａ'，Ｂ'）の周辺の４つの近傍の画素値を合成して、画素値Ｉ（Ａ'，Ｂ'）を取得する方法である。各注目点からの距離に応じて重み付けを行い、合成を行う。
【００４８】
Ｉ（Ａ'，Ｂ'）は、以下の式によって求められる。なお、以下の式では、（Ａ'，Ｂ'）の近傍の４点をそれぞれ、（Ａ，Ｂ）、（Ａ＋１，Ｂ）、（Ａ，Ｂ＋１）、（Ａ＋１，Ｂ＋１）とする。また、（Ａ，Ｂ）から（Ａ'，Ｂ'）までのＸ方向の距離をａ、Ｙ方向の距離をｂとする。
【００４９】
【数１】
2014018251.tif 000003
これによって、位置（Ａ'，Ｂ'）の画素値Ｉ（Ａ'，Ｂ'）を取得することができる。
【００５０】
そして、解像度を変更した場合には、変更前後の画像間での対応関係から変更後の画素値の決定をする。以下、解像度変更前後の画像を対応させる方法について説明する。
【００５１】
図４は、解像度変更前後の画像間の対応関係について説明する図である。画像Ａは、解像度変更前の画像を示している。画像Ｂは、解像度変更後の画像を示している。例えば、画像Ｂは、画像Ａの解像度をＮ／Ｍサイズに小さくした画像である。解像度変更後における画像の各位置の画素値は、解像度変更前の画像の画素値を参考に決定していく。すなわち、解像度変更前の画像上で、解像度変更後の所定位置に対応する位置の画素値を決定し、決定した画素値を解像度変更後の画像の所定位置の画素値として適用する。
【００５２】
例えば、画像Ａにおける所定の位置を（Ａ'，Ｂ'）とする。また、画像Ｂにおいて、画像Ａにおける所定位置（Ａ'，Ｂ'）に対応する位置を（ａ，ｂ）とする。このとき、画像Ａの位置（Ａ'，Ｂ'）は、画像Ｂの（ａ，ｂ）によって以下のように示される。
【００５３】
【数２】
2014018251.tif 000004
これによって、（Ａ'，Ｂ'）＝（Ｍａ／Ｎ，Ｍｂ／Ｎ）と表わされる。そして、画像Ａにおける所定位置（Ａ'，Ｂ'）の４つの近傍の画素より、画像Ｂにおける位置（ａ，ｂ）の画素を決定することができる。すなわち、画像Ａで求められたＩ（Ａ'，Ｂ'）が画像ＢのＩ（ａ，ｂ）となる。
【００５４】
図５は、制御部７０の制御動作を示すフローチャートである。以下、フローチャートを用いて、制御部７０の画像データの解像度を変更する制御動作について説明する。
【００５５】
検者によって、操作部７６が操作され、撮影スイッチが選択されると、制御部７０は、眼科撮影部１０に撮影開始のトリガ信号を出力し、眼底の撮影を行う。撮影された眼底画像（断層画像及び正面画像）の画像データは、メモリ７２に記憶される。なお、操作部７６を操作することによって、眼底の撮影を行ったが、これに限定されない。眼科撮影部１０に設けられた図示無き撮影スイッチによって、正面画像及び断層画像が取得される構成としてもよい。
【００５６】
ここで、撮影した画像を外部端末３０で観察する場合、検者は、操作部７６を操作し、外部端末３０の解像度を入力する。次いで、検者は、操作部７６を操作し、外部端末３０へ転送する画像を選択し、図示無き転送スイッチを選択する。検者によって、転送スイッチが選択されると、制御部７０は、選択された画像の画像データをメモリ７２より呼び出し、診断用のレポート画像（観察用画像）を作成する。
【００５７】
図６は、レポート画像の一例を示す図である。図６（ａ）は、解像度変更前の画像データを外部端末転送した場合の外部端末でのレポート画像の表示を示している。図６（ｂ）は、解像度変更後の画像データを外部端末転送した場合の外部端末でのレポート画像の表示を示している。例えば、レポート画像としては、眼底上における層厚を二次元的に示すマップ（以下、厚みマップと記載）Ｍや層厚を数値で表示したマップ（以下、数値マップ）Ｐが表示される。例えば、厚みマップＭは、眼底正面像上に重畳表示される。このとき、断層像と眼底正面像は、マッチングされているため、眼底正面像と厚みマップＭとの関連付けが可能である。
【００５８】
制御部７０は、レポート画像を作成後、入力された外部端末の解像度に画像データを変更する。すなわち、制御部７０は、外部端末３０のモニタ３１の解像度に対応するように、画像データの解像度を小さく変更する。制御部７０は、解像度の変更処理としては、解像度を小さくするとともに、バイリニア補間法によって、画素値を変更していく。
【００５９】
なお、本実施例においては、操作部７６の操作によって、外部端末３０の解像度を転送前に入力する構成としたがこれに限定されない。外部端末３０のモニタ３１の解像度を入力するタイミングは解像度変更前であればどのタイミングで行ってもよい。例えば、予め、外部端末３０のモニタ３１の解像度を設定しておく構成としてもよい。
【００６０】
制御部７０は、画像データの解像度を変更した後、画像データを外部端末３０に出力し、転送を行う。外部端末３０の図示無きＣＰＵは、制御部７０より転送された画像データを受信すると、画像データを外部端末３０のモニタ３１に表示する。
【００６１】
以上のようにして、画像データの転送前に解像度を転送先の外部端末に合わせて自動的に変更を行うため、解像度変更にともなう画質の劣化を抑制することが可能となる（図６（ｂ）参照）。これによって、外部端末のモニタ３１の解像度が小さく（低く）ても、視認性の高い画像を提供することができる。
【００６２】
また、画像データの転送前に解像度を転送先の外部端末に合わせて自動的に変更されることによって、画像データのサイズ（容量）が抑制され、外部端末に転送した際に、余分な画像データがなくなる。これによって、外部端末のメモリの使用量を抑え、より多くの画像データを記憶できるようになる。
【００６３】
なお、上記構成においては、転送スイッチが選択されると、レポート画像を作成し、転送する構成としたがこれに限定されない。転送する画像は、撮影した断層像及び眼底正面像等を転送する構成としてもよい。また、パラメータの転送であってもよい。
【００６４】
なお、上記構成においては、補間処理として、バイリニア法を用いたがこれに限定されない。例えば、二アレストネイバ法やバイキュービック法等の補間処理を用いてもよい。
【００６５】
なお、上記記載においては、外部端末の解像度を入力する構成としたがこれに限定されない。外部端末より端末情報を取得し、解像度を読み取る構成としてもよい。例えば、端末情報の読み取りとしては、画像データの転送スイッチが選択されるとともに、自動的に読み取る構成としてもよいし、端末情報読み取りスイッチを設け、読み取りスイッチの選択によって、読み取りが行われる構成としてもよい。
【００６６】
なお、レポート画像として表示する解析結果は、上記構成に限定されない。例えば、正常眼データベース（正常眼の層厚の平均値データベース）と撮影した眼底の層厚マップ間の比較結果を示す差分マップを作成し、表示してもよい。また、各層の層厚判定、形状判定、所定部位（例えば、乳頭、黄斑）のサイズ判定等を行い、眼底の眼底の正常／異常等の判定を行う。そして、眼底の眼底の正常／異常部位に関する二次元分布データを検出する構成等が挙げられる。もちろん、検者が表示する解析結果を任意に選択できる構成としてもよい。
【００６７】
なお、上記構成においては、転送先の外部端末の解像度に画像データを変更する構成としたが、さらに、他のパラメータを転送先の外部端末の形式に変更する構成を設けてもよい。例えば、転送先の外部端末のカラープロファイルに基づいて、色調を変更するようにしてもよい。例えば、画像データの階調を減少（２５６階調から６４階調へ変更）して画素値を決定した後、画像データを転送する。
【００６８】
なお、上記構成においては、眼底正面像及び眼底断層像を撮像する眼底撮影装置を例として挙げたがこれに限定されない。例えば、前眼部正面像及び前眼部断層像を撮像する前眼部撮影装置においても、本発明は適用可能である。
【００６９】
なお、上記構成においては、本実施例に記載した装置に限定されない。例えば、上記実施例の機能を行う眼科撮影ソフトウェア（プログラム）をネットワークや各種記憶媒体を介して、システムあるいは装置に供給する。そして、システムあるいは装置のコンピュータ（例えば、ＣＰＵ等）がプログラムを読み出し、実行することも可能である。
【００７０】
なお、上記構成においては、被検眼を撮影する眼科撮影装置を例に挙げて説明したが、これに限定されない。本発明は、生体（例えば、心臓や血管等）を撮影するための撮影手段を備えた医療用画像撮影装置にも適用可能である。撮影手段としては、例えば、光、超音波、磁気、放射線、Ｘ線の少なくともいずれかを用いて被検者の所定部位の医療用画像を得る構成が考えられる。
【００７１】
例えば、画像形成手段は、被検者の所定部位に関する医療用画像を処理して、所定部位の解析結果を示す解析マップを含む画像データを形成する。そして、画像変更手段は、画像形成手段によって形成された解析マップを含む画像データの解像度を変更する。解析マップとしては、カラーにて解析結果を表現するカラーマップ、数値にて解析結果を表現する数値マップが考えられる。
【００７２】
また、画像形成手段は、複数の所定部位に関する医療用画像を処理して、所定部位に関する医療用画像を複数含む画像データを形成するようにしてもよい。画像変更手段は、画像形成手段によって形成された画像データの解像度を変更する。
【００７３】
なお、医療用画像撮影装置への本発明の適用について、上記眼科撮影装置に用いられた課題解決手段（例えば、課題解決手段として記載された部分）は、医療用画像撮影装置に適用可能である。
【図面の簡単な説明】
【００７４】
【図１】本実施例に係る眼科撮影装置の一例について説明する図である。
【図２】眼科解析部の構成について説明するブロック図である。
【図３】バイリニア補間法について説明する図である。
【図４】解像度変更前後の画像間の対応関係について説明する図である。
【図５】制御部の制御動作を示すフローチャートである。
【図６】レポート画像の一例を示す図である。
【符号の説明】
【００７５】
１  眼科撮影装置
１０  眼科撮影部
２０  眼科解析部
３０  外部端末
３１  モニタ
３２  ＣＰＵ
３３  記憶装置
７０  制御部
７２  メモリ
７５  モニタ
７６  操作部
【図１】
2014018251.tif 000005
【図２】
2014018251.tif 000006
【図３】
2014018251.tif 000007
【図４】
2014018251.tif 000008
【図５】
2014018251.tif 000009
【図６】
2014018251.tif 000010